(57)【要約】  不正開封防止バンド（４０）を備えたクロージャ（８）は、固定バンド（４２、１４２）と、可動体（５０）とを含む。固定バンド（４２、１４２）は、不正開封防止バンドが破れていない状態で、脆弱部（５２、１５２）を介して可動体（５０）に接合される。不正開封防止バンド（４０）は、不正開封防止リング（７０、１７０）をさらに含み、不正開封防止リング（７０、１７０）は、不正開封防止バンドが破れていない状態で、外部から見えないようにクロージャ（８）の内部区画に収納される。脆弱部（５２、１５２）は、クロージャ（８）を捩じ緩むことによって破られ、不正開封防止リング（７０、１７０）は、内部区画から抜け出し、シールを破り、固定バンド（４２、１４２）の固定縁部（４９、１４９）から可動体（５０）の可動縁部（５１、１５１）を離間させる。
2019523185.tif 000002
【特許請求の範囲】
【請求項１】
不正開封防止バンド（４０）を備え、液体、特にジュース、フルーツピューレ、ヨーグルトおよびソフトドリンクなどの子供用飲料を収容するための容器（１）に使用するように構成されたクロージャ（８）であって、前記クロージャは、環状の主当接部（２４）を含む管状体（１０）を備えた飲み口（６）に適用可能であり、前記クロージャは、
前記クロージャを捩じ緩む方向への軸方向の並進運動を制限するように、前記主当接部（２４）と直接または間接に係合可能な固定バンド（４２、１４２）と、
前記飲み口（６）の前記管状体（１０）に螺合可能なケーシング（６２、１６２）を備えた可動体（５０）とを含み、前記固定バンド（４２、１４２）は、前記不正開封防止バンドが破れていない状態で、前記固定バンド（４２、１４２）の固定縁部（４９、１４９）と前記可動体（５０）の可動縁部（５１、１５１）とを接合するための脆弱部（５２、１５２）を介して、前記可動体（５０）に接合され、
一端に環状の不正開封防止縁部（７１、１７１）を有し、前記不正開封防止バンドが破れていない状態で、外部から見えないように前記クロージャ（８）の内部区画に収容される不正開封防止リング（７０、１７０）を含み、
前記脆弱部（５２、１５２）は、前記飲み口（６）から前記クロージャ（８）を捩じ緩むことによって破れるように構成され、前記不正開封防止リング（７０、１７０）は、前記内部区画から抜け出し、前記シールを破り、前記固定バンド（４２、１４２）の前記固定縁部（４９、１４９）と前記可動体（５０）の前記可動縁部（５１、１５１）とを離間させる、クロージャ。
【請求項２】
前記クロージャは、前記飲み口（６）に嵌入可能である、請求項１に記載のクロージャ。
【請求項３】
前記固定バンド（４２）は、自由端（４４）を有し、
前記自由端（４４）は、前記主当接部（２４）に対して逃げ溝として形成された主凹部（２８）に少なくとも部分的に嵌入するように、他の部分に対して径方向内側に湾曲または隆起する、請求項２に記載のクロージャ。
【請求項４】
前記不正開封防止リング（７０）は、前記可動体（５０）と一体化され、前記シールが破れていない状態で、前記固定バンド（４２）によって規定された区画に収容され、前記クロージャ（８）を捩じ緩むことによって、前記区画から抜け出す、先行する請求項のいずれか１項に記載のクロージャ。
【請求項５】
前記不正開封防止リング（１７０）は、前記飲み口（６）の前記主当接部（２４）に係留することによって、前記クロージャ（８）を捩じ緩むことによる並進運動を防止する、請求項１または２に記載のクロージャ。
【請求項６】
前記可動体（５０）は、前記シールが破れていない状態で、前記脆弱部（１５２）を介して前記固定バンド（１４２）に接合された可動バンド（２００）を備え、
前記不正開封防止リング（１７０）は、前記可動バンド（２００）によって規定された区画に収容され、前記クロージャ（８）を捩じ緩むことによって、前記区画から抜け出す、請求項５に記載のクロージャ。
【請求項７】
前記固定バンド（１４２）は、前記不正開封防止リング（１７０）を含む不正開封防止ブッシング（１００）によって、軸方向の並進運動するように制限され、
前記不正開封防止ブッシング（１００）は、前記飲み口（６）の前記主当接部（２４）に嵌入係合可能である、請求項５または６に記載のクロージャ。
【請求項８】
組立体であって、
薄壁を有する容器本体（２）に適用可能な飲み口（６）を含み、
前記飲み口（６）は、
ｉ）挿入端（１２）と分注端（１４）との間で主軸線（Ｘ）に沿って直線的に延在する管状体（１０）と、
ｉｉ）前記管状体（１０）の前記挿入端（１２）に対応しており、前記容器本体（２）との密封接続を形成するための接続部（１６）と、
ｉｉｉ）前記管状体（１０）から径方向外側に突出する環状の主当接部（２４）とを含み、
前記組立体は、
不正開封防止バンド（４０）を備え、前記飲み口（６）に適用されるクロージャ（８）を含み、
前記クロージャ（８）は、
ｉ）前記飲み口（６）の前記主当接部（２４）に嵌入係合される環状の固定バンド（４２）と、
ｉｉ）前記飲み口（６）の前記管状体（１０）に螺合可能な可動体（５０）とを含み、前記固定バンド（４２、１４２）は、前記不正開封防止バンドが破れていない状態で、前記固定バンド（４２、１４２）の固定縁部（４９、１４９）と前記可動体（５０）の可動縁部（５１、１５１）とを接合するための脆弱部（５２、１５２）を介して、前記可動体（５０）に接合され、
ｉｉｉ）前記可動体（５０）と一体化され、一端に環状の不正開封防止縁部（５０）を有し、前記不正開封防止バンドが破れていない状態で、外部から見えないように前記固定バンド（４２）によって規定された内部区画に収容された不正開封防止リング（７０）を含み、
前記脆弱部（５２）は、前記飲み口（６）から前記クロージャ（８）を捩じ緩むことによって破れるように構成され、前記不正開封防止リング（７０）は、前記内部区画から抜け出し、前記シールを破ることによって、前記固定バンド（４２）の前記固定縁部（４９）と前記可動体（５０）の前記可動縁部（５１）とを離間させる、組立体。
【請求項９】
不正開封防止バンド（４０）を備え、液体、特にジュース、フルーツピューレ、ヨーグルトおよびソフトドリンクなどの子供用飲料を収容するための容器（１）に使用するように構成されたクロージャ（８）であって、前記クロージャは、環状の主当接部（２４）を含む管状体（１０）を備えた飲み口（６）に適用可能であり、前記クロージャは、
前記クロージャを捩じ緩む方向への軸方向の並進運動を制限するように、前記主当接部（２４）と間接に係合可能な固定バンド（１４２）と、
可動体（５０）とを含み、
前記可動体（５０）は、
ｉ）前記飲み口（６）の前記管状体（１０）に螺合可能なケーシング（１６２）と、
ｉｉ）前記シールが破れていない状態で、脆弱部（１５２）を介して前記固定バンド（１４２）に接合された可動バンド（２００）とを備え、
前記クロージャは、
一端に環状の不正開封防止縁部（７１、１７１）を有し、捩じ緩むことによる並進運動を制限するように前記飲み口（６）の前記主当接部（２４）に係留可能であり、前記シールが破れていない状態で、前記可動バンド（２００）によって規定された区画に収容される不正開封防止リング（１７０）を含み、
前記脆弱部（１５２）は、前記飲み口（６）から前記クロージャ（８）を捩じ緩むことによって破れるように構成され、前記不正開封防止リング（１７０）は、前記内部区画から抜け出し、前記シールを破ることによって、前記固定バンド（１４２）の前記固定縁部（１４９）と前記可動体（５０）の前記可動縁部（１５１）とを離間させる、クロージャ。
【請求項１０】
前記固定バンド（１４２）は、前記不正開封防止リング（１７０）を含む不正開封防止ブッシング（１００）によって、軸方向の並進運動するように制限され、
前記不正開封防止ブッシング（１００）は、前記飲み口（６）の前記主当接部（２４）に嵌入係合可能である、請求項９に記載のクロージャ。
【請求項１１】
組立体であって、
薄壁を有する容器本体（２）に適用可能な飲み口（６）を含み、
前記飲み口（６）は、
ｉ）挿入端（１２）と分注端（１４）との間で主軸線（Ｘ）に沿って直線的に延在する管状体（１０）と、
ｉｉ）前記管状体（１０）の前記挿入端（１２）に対応しており、前記容器本体（２）との密封接続を形成するための接続部（１６）と、
ｉｉｉ）前記管状体（１０）から径方向外側に突出する環状の主当接部（２４）とを含み、
前記組立体は、
不正開封防止バンド（４０）を備え、前記飲み口（６）に適用され、請求項９または１０に従って実現されるクロージャ（８）を含む、組立体。
【発明の詳細な説明】
【技術分野】
【０００１】
本発明は、不正開封防止バンドを備えたプラスチッククロージャに関し、特に、飲み口に適用され、一般的にジュース、フルーツピューレ、ヨーグルトおよびソフトドリンクなどの子供用飲料をを収容するように構成された可撓性容器に適用されるクロージャに関する。
【背景技術】
【０００２】
従来では、殆どのクロージャ、特に液体食品容器に使用されるクロージャは、不正開封防止シールを含み、不正開封防止シールは、脆弱部を備え、飲み口からクロージャを捩じ緩むことによって破損するため、容器が既に開封されていることを示す。
【０００３】
例えば、出願人は、国際出願ＷＯ２００８／０５０３６１Ａ１の特許ファミリーの所有者である。
【０００４】
しかしながら、ユーザがシールの実際の状態に殆ど注意せず、または脆弱部がそれ程明白ではなく、完全に確認しない限り破れたように見えないことがある。
【発明の概要】
【課題を解決するための手段】
【０００５】
本発明の目的は、破損状態が特に明白である不正開封防止シールを備えた飲み口に使用されるクロージャを提供することによって、従来技術に関して述べた欠点を克服することである。
【０００６】
この目的は、請求項１に記載のクロージャによって達成される。従属請求項は、代替の実施形態を説明する。
【０００７】
本発明に係るクロージャの特徴および利点は、以下の図面を参照して、示唆的且つ非限定的な例を記載する以下の説明からより明らかになるであろう。
【図面の簡単な説明】
【０００８】
【図１】本発明の一実施形態に従って、可撓性容器の飲み口に適用された、密封状態におけるクロージャを示す図である。
【図２】開封状態における図１のクロージャを示す図である。
【図３】図１のクロージャの各々の構成部を示す図である。
【図４】（密封状態における）図１のクロージャを示す側面図である。
【図５】（密封状態における）図１のクロージャを示す断面図である。
【図６】（密封状態における）図５のＶＩを詳細に示す拡大図である。
【図７】（開封状態における）図２のクロージャを示す側面図である。
【図８】（開封状態における）図２のクロージャを示す断面図である。
【図９】（開封状態における）図８のＩＸを詳細に示す拡大図である。
【図１０】本発明のさらなる実施形態に従って、可撓性容器の飲み口に適用された、密封状態におけるクロージャを示す図である。
【図１１】開封状態における図１０のクロージャを示す図である。
【図１２】図１０のクロージャの各々の構成部を示す図である。図１０のクロージャの側面図を示す図である（密封状態の場合）。
【図１３】（密封状態における）図１０のクロージャを示す側面図である。
【図１４】（密封状態における）図１０のクロージャを示す断面図である。
【図１５】（密封状態における）図１４のＸＶを詳細に示す拡大図である。
【図１６】（開封状態における）図１１のクロージャを示す側面図である。
【図１７】（開封状態における）図１１のクロージャを示す断面図である。
【図１８】（開封状態における）図１７のＸＶＩＩＩを詳細に示す拡大図である。
【図１９】本発明のさらに別の実施形態に従って、可撓性容器の飲み口に適用された、密封状態におけるクロージャを示す図である。
【図２０】開封状態における図１９のクロージャを示す図である。
【図２１】本発明のさらなる実施形態に従って、可撓性容器の飲み口に適用された、密封状態におけるクロージャを示す図である。
【図２２】開封状態における図２１のクロージャを示す図である。
【発明を実施するための形態】
【０００９】
添付図面を参照して、参照番号１は、物質を収容するための容器、特に液体食品を収容するための容器の全体を表す。
【００１０】
容器１は、好ましくは、薄壁からなる容器本体２を含む。
例えば、容器本体２は、例えば溶接によって、上縁４ａ、４ｂに沿ってそれぞれ接合された一対の対向する側壁２ａ、２ｂからなる。
【００１１】
一実施形態によれば、側壁２ａ、２ｂは、例えば溶接によって、周縁の全体に沿って互いに接合される。代替的な実施形態において、容器は、底壁および／または１つまたは２つの側壁を備え、襠付きバッグに形成される。
【００１２】
容器１は、容器本体２に設けられた飲み口６と、飲み口６を閉めるように飲み口６に適用可能なクロージャ８とをさらに含む。
【００１３】
飲み口６は、例えば、内側の円筒形側壁の中心軸と一致する直線状の主軸Ｘに沿って、挿入端１２と分注端１４との間に延在する管状体１０を含む。
【００１４】
一実施形態によれば、飲み口６は、管状体１０の挿入端１２に対応しており、容器本体２との密封接続を形成するための接続部１６を含む。
【００１５】
具体的には、接続部１６は、主軸Ｘの両側に設けられた接続面１８ａ、１８ｂを有し、側壁２ａ、２ｂの上縁４ａ、４ｂの一部に適用するように構成される。
【００１６】
また、飲み口６は、挿入端１２から分注端１４に向かう方向に、接続部１６に隣接する第１プレート２０と、第１プレート２０から軸方向に離れて第１プレート２０に実質的に平行な第２プレート２２とを含む。
【００１７】
プレート２０、２２は、主軸Ｘに実質的に垂直な仮想平面の一般的な延長である。
飲み口６は、主当接部２４をさらに備える。この主当接部２４は、例えば、連続したまたは別個のセクタからなるリングに作られ、第２プレート２２から軸方向に離れて配置される。
【００１８】
好ましくは、主当接部２４は、管状体１０の挿入端に向かって先細になった円錐台形の側面２６を有し、環状の主凹部２８に隣接している。主凹部２８は、当接部２４に対して形成された逃げ溝である。
【００１９】
最後に、飲み口６は、管状体１０の外面に設けられ、クロージャ８を捩じ込むためのネジ山３０を含む。
【００２０】
本発明によれば、クロージャ８は、不正開封防止バンド４０を含む。
好ましい実施形態（図１〜９）によれば、不正開封防止バンド４０は、環状の固定バンド４２を備える。この固定バンド４２は、飲み口６の主当接部２４と直接に係合することによって、軸方向の並進運動を防止する。
【００２１】
例えば、実施形態の一変形例によれば、固定バンド４２は、自由端４４を有する。この自由端４４は、主凹部２８に少なくとも部分的に収容されるように、他の部分に対して径方向内側に湾曲または隆起する。
【００２２】
他端では、固定バンド４２は、フレア状壁４６を有する。このフレア状壁４６は、内側に、飲み口６からクロージャ８を捩じ緩む方向に収束する環状円錐台形の側面４８を有する。
【００２３】
クロージャ８は、可動体５０をさらに備える。飲み口６からクロージャを捩じ緩むときに、この可動体５０は、軸方向に並進運動することによって、飲み口からクロージャを離間させる。
【００２４】
不正開封防止バンドが破れていないときに、可動体５０は、不正開封防止バンド４０の脆弱部５２を介して、固定バンド４２に接合される。脆弱部５２は、固定バンド４２の環状の固定縁部４９と可動体５０の可動縁部５１とを接合する。
【００２５】
例えば、不正開封防止バンド４０は、脆弱部５２を介して固定バンド４２に接合された可動体５０の円筒状シャンク５４を備える。脆弱部５２は、外側から径方向ノッチ５６を切り込むことによって縮径部として形成されている。
【００２６】
また、好ましくは、可動体５０は、クロージャを捩じ緩むために手で把持するように構成されたハンドル６０と、角度方向に離れた複数のフィン６４を介してハンドル６０に接合された内側ケーシング６２とを備える。シャンク５４は、内側ケーシング６２から軸方向に突出する。内側ケーシング６２とハンドル６０との間には、チョーキングを防止するための通路６６が形成されている。
【００２７】
不正開封防止バンド４０は、不正開封防止リング７０をさらに含む。不正開封防止リング７０は、不正開封防止バンドが破れていない状態で、固定バンド４２によって規定された区画に収容されているため、外部から見えない。
【００２８】
不正開封防止リング７０は、クロージャ８の可動体５０と一体に形成されているため、クロージャを捩じ緩むことによって、軸方向に並進運動し、飲み口から抜ける。
【００２９】
また、不正開封防止リング７０は、固定バンド４２のフレア状壁４６の側面４８の最小外径Ｄｍｉｎよりも大きい最大外径Ｄｍａｘを有するため、捩じ緩むことによる軸方向の並進運動を行う間に、固定バンド４２から抜け出すことができる。
【００３０】
具体的には、不正開封防止リング７０は、円錐台形外面７４を有する不正開封防止壁７２を含み、この不正開封防止壁７２は、捩じ緩む間に可動体５０の並進運動方向に収束し、例えば固定バンド４２のフレア状壁４６の側面４８に平行である。
【００３１】
実施形態の一変形例によれば、クロージャ８は、キャップ８０を備え、このキャップ８０は、底部８２と、軸方向に延長する環状のキャップ壁８４とを含む。
【００３２】
好ましくは、底部８２は、飲み口６の管状体１０の口を閉めるためのクロージャを形成し、キャップ壁部８４の端部からの突出は、不正開封防止リング７０を形成する。
【００３３】
さらに、キャップ壁８４の内側に、飲み口６のネジ山３０と螺合するためのネジ山が設けられる。
【００３４】
キャップ８０は、並進運動および回転運動をするように、クロージャ８の可動体５０と一体化される。
【００３５】
具体的には、キャップ８０は、不正開封防止リング体７０が固定バンド４３によって規定された区画の内部に収容されるように、可動体５０のケーシング６２に少なくとも部分的に収容されている。
【００３６】
軸方向に沿ってキャップ８０を可動体５０にロックするために、キャップ８０は、例えば、底部８２に隣接するキャップ壁８４の外面に設けれた複数の周方向溝９０を含む。可動体５０のケーシング６２に設けられた周方向突起は、これらの周方向溝にそれぞれ嵌入する。
【００３７】
可動体５０に対するキャップ８０の回転をロックするために、キャップ８０は、例えば、不正開封防止リング７０に隣接するキャップ壁８４の外面に設けられた軸方向溝９２を含む。複数の可動体５０のケーシング６２に設けられた軸方向突起は、これらの軸方向溝に各々嵌入する。
【００３８】
キャップ８０は、例えば射出成形によって、プラスチック材料から一体に成形されている。
【００３９】
同様に、可動体５０と固定バンド４２とからなるグループは、例えば射出成形によって、プラスチック材料から一体に成形されている。
【００４０】
最後に、飲み口は、例えば射出成形によって、プラスチック材料から一体に成形されている。
【００４１】
可動体５０および固定バンド４２のグループとキャップ８０とが作製されると、キャップを可動体５０の内側ケーシング６２に挿入することによって、完全品としてのクロージャ８を形成する。
【００４２】
一般的に、飲み口６を容器２に密封可能に取り付けた後、飲み口６から液体を充填し、その後、クロージャ８を適用する。
【００４３】
適用時に、クロージャを飲み口６の管状体１０に捩じ込み、その間に、固定バンド５２の自由端４４は、当接部２４の側面２６のフレア形状によって、主凹部２８に嵌入する。
【００４４】
初めて容器１を開封する（図２および図７〜９）ときに、クロージャ８を捩じ緩むことによって、可動体５０は、飲み口６の管状体１０から離れる方向に並進運動する。
【００４５】
固定バンド４２は、初期状態では可動体と一体化されているため、同様の方向に並進運動するように付勢される。この並進運動は、自由端４４と飲み口６の主当接部２４との間の係合によって止められる。
【００４６】
したがって、脆弱部５２は、破裂することによって、軸方向に沿って固定バンド４２から可動体５０を離間させる。
【００４７】
可動体５０の軸方向の並進運動によって、不正開封防止リング７０は、可動体５０と共に並進運動する。その結果、リング７０は、固定バンド４２のフレア壁４６と協働することによって、固定バンド４２によって規定された区画から抜け出し、外部から見えるようになる。
【００４８】
具体的には、不正開封防止リング７０は、先ず、変形することによって収縮し、その後、固定バンドから抜け出し、未変形状態に弾性的に戻る。
【００４９】
このため、可動体を飲み口に捩じ込むと、不正開封防止リング７０は、固定バンドに戻れなくなり、固定縁部４９と可動縁部５１との間に確実に配置され、固定縁部４９と可動縁部５１とを軸方向に離間させる。したがって、シールの開封は、明白である。
【００５０】
また、好ましくは、不正開封防止リング７０の色は、固定バンド４２および可動体５０の色に対して目立つように選択される。これによって、不正開封防止リングがより見やすくなる。
【００５１】
換言すれば、上述の実施形態によれば、不正開封防止リング７０は、クロージャ８の可動体５０と一体に並進運動する。
【００５２】
さらなる実施形態（図１０〜１８）によれば、不正開封防止バンド４０は、不正開封防止ブッシング１００を備え、不正開封防止ブッシング１００は、不正開封防止リング１７０を含む。不正開封防止リング１７０は、クロージャ８を捩じ緩むことによって可動体５０が並進運動する間に、飲み口に固定されている。
【００５３】
具体的には、実施形態の一変形例によれば、不正開封防止ブッシング１００は、飲み口６の管状体１０の周りに延在する環状の基底壁１０２と、周方向に連続したまたは扇形に分割された環状の係合歯１０４とを備える。環状の係合歯１０４は、飲み口６の主当接部２４との結合を形成するように、基底壁１０２から径方向内側に突出している。これによって、捩じ緩む方向への不正開封防止ブシュ１００の軸方向の並進運動が防止されるまたは制限される。
【００５４】
具体的には、係合歯１０４は、円錐台形の側面１０６を有し、この側面１０６は、主本体部２４と嵌入係合するように、捩じ緩むことによる可動体５０の並進運動方向に収束し、主凹部２８に少なくとも部分的に収容される。
【００５５】
不正開封防止ブッシング１００は、基底壁１０２から軸方向且つ径方向外側に突出する不正開封防止リング１７０をさらに含む。
【００５６】
実施形態の一変形例によれば、不正開封防止リング１７０は、不正開封防止壁１７２を含み、不正開封防止壁１７２は、円錐台形の外面１７４を有し、捩じ緩むことによる可動体５０の並進運動方向に発散する。
【００５７】
クロージャ８の可動体５０は、飲み口６から捩じ緩まれている間に、軸方向に並進運動するによって飲み口８から離れるように、飲み口６の管状体１０の周りに延在する環状のシャンク１５４を含む。
【００５８】
不正開封防止バンド４０は、可動体５０と一体化され、シャンク１５４から例えば軸方向に突出する可動バンド２００と、飲み口６の管状体１０の周りに延在する環状の固定バンド１４２とを含む。
【００５９】
不正開封防止バンドが破れていないときに、固定バンド１４２と可動バンド２００とは、脆弱部１５２を介して接合される。脆弱部１５２は、固定バンド１４２の環状の固定縁部１４９と可動体２００の可動縁部１５１とを接合する。
【００６０】
例えば、脆弱部１５２は、可動バンド１００と固定バンド１４２との間に外側から径方向ノッチ１５６を切り込むことによって、縮径部として形成されている。
【００６１】
可動バンド２００および固定バンド１４２は、飲み口６の管状体１０から径方向外側に離間され、不正開封防止ブシュ１００を収容している環状区画を規定する。
【００６２】
具体的には、ブッシング１００の基底壁１０２は、管状体１０の固定バンド１４２と主当接部２４との間に径方向に配置され、不正開封防止リング１７０は、可動バンド２００と管状材１０との間に径方向に配置される。
【００６３】
また、不正開封防止リング１７０は、可動バンド２００と固定バンド１４２とを接合するための脆弱部１５２に対して径方向外側に突出することによって、固定バンド１４２を捩じ緩む方向への軸方向の並進運動を制限するための障害物を形成する。
【００６４】
さらに、不正開封防止リング１７０は、主当接部２４と係合している係合歯１０４を介して管状体１０に係留される。これによって、固定バンド１４２は、管状体１０に間接的に拘束され、その結果、捩じ緩むことによる軸方向の並進運動が防止される。
【００６５】
可動バンド２００は、内側に、飲み口６から可動体５０を捩じ緩む方向に発散する円錐台形状の側面２４８を有する。
【００６６】
不正開封防止リング１７０は、側面２４８を介して可動バンド２００と協働して、不正開封防止リング１７０の外面１７４と接触する。
【００６７】
実施形態の一変形例によれば、固定バンド１４２および可動バンド２００は、固定バンド１４２の口に配置された固定バンド１４２の円錐台形の案内面１４４′と、好ましくは、案内面１４４′の内側に軸方向に隣接した固定バンド１４２の円筒状のスペーサ面１４４″と、スペーサ面１４４″に隣接する（または、代替的な実施形態において、案内面１４４′に直接的に設けられた）可動バンド２００の円錐台形の側面２４８とを含む内側輪郭を有する。
【００６８】
実施形態の一変形例によれば、可動体５０は、クロージャを捩じ緩むために手で把持するように構成されたハンドル１６０と、角度方向に離れた複数のフィン１６４を介してハンドル１６０に接合された内側ケーシング１６２とを備える。可動バンド２００は、内側ケーシング１６２から軸方向に突出する。内側ケーシング６２とハンドル６０との間には、チョーキングを防止するための通路１６６が形成されている。
【００６９】
好ましくは、ケーシング１６２は、飲み口６の管状体１０の口のためのクロージャを形成する底部１６２′と、管状体１０に捩じ込むための内ネジ山１６２″とを備えている。
【００７０】
不正開封防止ブッシング１７０は、例えば射出成形によって、プラスチック材料から一体に成形されている。
【００７１】
同様に、可動体５０、可動バンド２００および固定バンド１４２からなるグループは、例えば射出成形によって、プラスチック材料から一体に成形されている。
【００７２】
最後に、飲み口は、例えば射出成形によって、プラスチック材料から一体に成形されている。
【００７３】
可動体５０、可動バンド２００および固定バンド１４２からなるグループと不正開封防止ブッシング１７０とが作製されると、ブッシング１７０を可動バンド２００および固定バンド１４２に挿入することによって、完全品としてのクロージャ８を形成する。
【００７４】
この目的を達成するために、固定バンド１４２の案内面１４４′は、不正開封防止リング１７０側からブッシング１００を挿入することを可能にする。リング１７０は、まず収縮して、可動バンド２００によって規定された区画において拡大する。
【００７５】
一般的に、飲み口６を容器２に密封可能に取り付けた後、飲み口６から液体を充填し、その後、クロージャ８を適用する。
【００７６】
適用するときに、クロージャを飲み口６の管状体１０に捩じ込み、その間に、固定バンド５２の自由端４４は、当接部２４の側面２６のフレア形状によって、主凹部２８に嵌入する。
【００７７】
初めて容器１を開封する（図１１および図１６〜１８）ときに、クロージャ８を捩じ緩むことによって、可動体５０は、飲み口６の管状体１０から離れる方向に並進運動する。
【００７８】
固定バンド４２は、初期状態では脆弱部１４２を介して可動体５０と一体化されているため、同様の方向に並進運動するように付勢される。この並進運動は、ブッシング１７０を介して主当接部２４に係留することによって止められる。
【００７９】
したがって、脆弱部１５２は、破裂することによって、固定バンド１４２から可動体５０を軸方向に離間させる。
【００８０】
可動体５０の並進運動によって、可動バンド２００も同様に並進運動する。その結果、不正開封防止リング７０は、可動バンド２００の側面２４８と協働することによって、可動バンド２００から抜け出し、外部から見えるようになる。
【００８１】
具体的には、不正開封防止リング１７０は、先ず、変形することによって収縮し、その後、可動バンドから抜け出し、未変形状態に弾性的に戻る。
【００８２】
このため、可動体を飲み口に捩じ込むと、不正開封防止リング１７０は、可動バンドに戻れなくなり、固定バンド１４２の固定縁部１４９と可動バンド２００の可動縁部１５１との間に確実に配置され、固定縁部１４９と可動縁部１５１とを軸方向に離間させる。したがって、シールの開封は、明白である。
【００８３】
また、好ましくは、不正開封防止リング１７０の色は、固定バンド１４２および可動体５０の色に対して目立つように選択される。これによって、不正開封防止リングがより見やすくなる。
【００８４】
さらなる実施形態（図１９〜２２）によれば、可動体５０は、ケーシング３６２を含み、ケーシング３６２は、底部３６２′と、底部３６２′から突出する側壁３６２′′とを備える。
【００８５】
一実施形態（図１９および２０）によれば、キャップ８０は、ケーシング３６２の内部に収容され、不正開封防止バンドは、図１〜９による実施形態について説明した構造的な特徴および機能的な特徴を備える。
【００８６】
さらなる実施形態（図２１および２２）によれば、ケーシング３６２の底部３６２′は、飲み口６の管状体１０の口を閉め、側壁３６２″の端部は、可動バンド２００を構成し、不正開封防止バンドは、図１０〜１８による実施形態について説明した構造的な特徴および機能的な特徴を備える。
【００８７】
革新的に、本発明に係る不正開封防止バンドを備えたクロージャは、バンドの破損を非常に明白に示すため、先行技術に存在する欠点を克服する。
【００８８】
実際に、不正開封防止リングは、特にクロージャの他の構成要素と異なる色を有するように選択された場合、より見やすくなる。
【００８９】
当業者が必要に応じて上述したクロージャを変更することができることは明らかである。これらの変更は、添付の請求項によって定義された保護範囲に含まれる。
【図１】
2019523185.tif 000003
【図２】
2019523185.tif 000004
【図３】
2019523185.tif 000005
【図４】
2019523185.tif 000006
【図５】
2019523185.tif 000007
【図６】
2019523185.tif 000008
【図７】
2019523185.tif 000009
【図８】
2019523185.tif 000010
【図９】
2019523185.tif 000011
【図１０】
2019523185.tif 000012
【図１１】
2019523185.tif 000013
【図１２】
2019523185.tif 000014
【図１３】
2019523185.tif 000015
【図１４】
2019523185.tif 000016
【図１５】
2019523185.tif 000017
【図１６】
2019523185.tif 000018
【図１７】
2019523185.tif 000019
【図１８】
2019523185.tif 000020
【図１９】
2019523185.tif 000021
【図２０】
2019523185.tif 000022
【図２１】
2019523185.tif 000023
【図２２】
2019523185.tif 000024
【国際調査報告】
2019523185.tif 000025
2019523185.tif 000026